(57)【要約】【課題】折畳み式防火扉装置の設置を作業性よく行えるように構成する。【解決手段】開口幅方向に第一、第二戸体２、３を揺動自在に連結して構成した折畳み式の防火扉装置１において、第一戸体２の戸尻側を開口部の一側部に枢軸４を介して枢支する一方、第二戸体３の戸尻側端部を第一戸体２の戸先側に蝶番５、６を介して連結し、戸先側に位置する第二戸体３の戸先側端縁部に、調整部材としての補助プレート１２を長孔１２ａを介して螺子１２ｂにより固定し、第二戸体３の戸先側端縁部と開口部との間を塞ぐように構成する。【選択図】図３
2010126890.tif 000002
【特許請求の範囲】
【請求項１】
躯体開口部に設けられる防火扉装置を開口幅方向複数枚の戸体を揺動自在に連結して構成し、戸尻側に位置する戸体の戸尻側端部を開口部の一側部に枢支する一方、前記防火扉装置を、戸先側の戸体から順次隣接する戸体に対して同方向に揺動して折畳まれた折畳み姿勢として、開口部一側の躯体壁面に形成した戸袋に収納し、火災等の異常時に、戸尻側の戸体から順次閉鎖揺動して開口部を閉鎖する折畳み式防火扉装置において、戸先側に位置する戸体には、開口部との間の隙間を塞ぐ調整部材が位置調整自在に設けられていることを特徴とする折畳み式防火扉装置。
【請求項２】
防火扉装置は、二枚の戸体を用いて構成されるものとし、調整部材は、戸先側の戸体の戸先側端縁部に開口幅方向位置調整自在に設けられている請求項１に記載の折畳み式防火扉装置。
【請求項３】
防火扉装置は、少なくとも三枚の戸体を用いて構成されるものとし、調整部材は、最も戸先側の戸体の戸先側端縁部に開口幅方向位置調整自在に設けられる第一調整部材と、少なくとも最も戸先側の戸体の下端縁部に上下方向位置調整自在に設けられる第二調整部材とにより構成されている請求項１に記載の折畳み式防火扉装置。
【発明の詳細な説明】
【技術分野】
【０００１】
本発明は、ビル等の建築物に設けられる折畳み式防火扉装置の技術分野に属するものである。
【背景技術】
【０００２】
一般に、ビル等の建築物には防火扉装置が設けられており、火災の発生等の異常時に防火扉装置を閉鎖することで広い空間を仕切って防火区画を形成し、火災による被害範囲をできる限り狭めるようにしている。このようなものでは、遮煙性（封止性）を高めるため、閉鎖時に戸体と開口部とのあいだに形成される隙間をできる限り塞ぐように構成することが要求される。一方、防火扉装置のなかには、開口幅方向複数枚の戸体を揺動自在に連結して防火扉装置を構成し、これら連結された戸体のうち、戸尻側に位置する戸体の戸尻側端部を開口部の戸尻側（一側部）に枢支し、戸先側の戸体から順次隣接する戸体に対して同方向に揺動して折畳んだ折畳み姿勢として、開口部一側の躯体壁面に形成した戸袋に収納し、火災等の異常時に、戸尻側の戸体から順次閉鎖揺動して開口部を閉鎖するようにした折畳み式防火扉装置が提唱されており、このものでも遮煙性の向上を図ることが要求されている。
【０００３】
この改善策として、折畳み式防火扉装置を左右一対の戸体を用いて構成し、各戸体の躯体開口部に対向する端縁部に気密材や遮蔽材を設けるとともに、開口部を構成する枠材に遮蔽片を設けるようにして、意匠性を損なうことなく遮煙性を高めるようにしたものが提唱されている。
【特許文献１】特開２００５−１０５７０５号公報
【発明の開示】
【発明が解決しようとする課題】
【０００４】
ところで、防火扉装置を折畳み式とした場合、戸尻側の戸体の戸尻側部位が開口部に枢支状に吊持され、該戸尻側の戸体の戸先側に連結される戸体は、戸尻側部位が前記戸尻側戸体の戸先に対して揺動自在に支持されていて、各戸体がそれぞれ片持ち状に支持されている。このため、戸先側に連結される戸体を開口部に対して寸法精度よく取付けるのが難いのが実情となっている。一方、開口部側を施工する場合にも寸法誤差が生じることがあり、このようなことがある場合では、防火扉装置を閉鎖しようとしたときに戸先側に連結された戸体と開口部の躯体（側壁や床部等）との間に大きな隙間ができたり、これとは逆に、躯体に擦ってしまって開口部を閉鎖できなくなるようなことが発生する惧れがある。このように、複数の戸体を連結して防火扉装置を構成するような場合では、最も戸先側に連結される戸体の取付け位置の精度が一層低下して、前記事態が顕著になることが想定される。このような場合に、従来では、戸体同士を連結するヒンジの位置調整をすること、最も戸先側に位置する戸体、あるいは、開口部側の側壁を取換えること等により対応しているが、このようにすると、いちいち戸体同士の連結を解除するような大がかりな作業をしなければならず作業性が劣るうえ、新規のものに取換える場合では施工時間が長くなったり、コストが嵩む等の問題があり、ここに本発明の解決すべき課題がある。
【課題を解決するための手段】
【０００５】
本発明は、上記の如き実情に鑑みこれらの課題を解決することを目的として創作されたものであって、請求項１の発明は、躯体開口部に設けられる防火扉装置を開口幅方向複数枚の戸体を揺動自在に連結して構成し、戸尻側に位置する戸体の戸尻側端部を開口部の一側部に枢支する一方、前記防火扉装置を、戸先側の戸体から順次隣接する戸体に対して同方向に揺動して折畳まれた折畳み姿勢として、開口部一側の躯体壁面に形成した戸袋に収納し、火災等の異常時に、戸尻側の戸体から順次閉鎖揺動して開口部を閉鎖する折畳み式防火扉装置において、戸先側に位置する戸体には、開口部との間の隙間を塞ぐ調整部材が位置調整自在に設けられていることを特徴とする折畳み式防火扉装置である。
請求項２の発明は、防火扉装置は、二枚の戸体を用いて構成されるものとし、調整部材は、戸先側の戸体の戸先側端縁部に開口幅方向位置調整自在に設けられている請求項１に記載の折畳み式防火扉装置である。
請求項３の発明は、防火扉装置は、少なくとも三枚の戸体を用いて構成されるものとし、調整部材は、最も戸先側の戸体の戸先側端縁部に開口幅方向位置調整自在に設けられる第一調整部材と、少なくとも最も戸先側の戸体の下端縁部に上下方向位置調整自在に設けられる第二調整部材とにより構成されている請求項１に記載の折畳み式防火扉装置である。
【発明の効果】
【０００６】
請求項１、２の発明とすることにより、設置現場に合わせた調整を容易に行うことができて、設置作業の作業性の向上が図れて施工時間を短縮でき、しかも、コスト低下に寄与できる。
請求項３の発明とすることにより、戸体が三枚以上で取付け位置の寸法精度が低下しても、設置現場での調整が容易になって、作業性よく設置することができる。
【発明を実施するための最良の形態】
【０００７】
つぎに、本発明の第一の実施の形態について、図面に基づいて説明する。
図面において、１は建築物に形成される幅広の廊下部分に設けられた折畳み式の防火扉装置であって、該防火扉装置１は、二枚の第一、第二戸体２、３を用いて構成されている。これら第一、第二戸体２、３は、後述するように、左右方向に並列する閉鎖状態となることにより、廊下の左右の側壁ＬＷ、ＲＷと、天井部Ｃと、床部Ｆとにより構成される空間（開口部）を閉鎖して遮煙された状態で二つに仕切るように構成されている。
【０００８】
前記第一、第二戸体２、３は、それぞれ表裏一対の面板を折曲して所定の戸厚を有したものに構成されており、それぞれ表、裏面２ａ、２ｂ、３ａ、３ｂ、左、右端面（戸尻、戸先側端面）２ｃ、２ｄ、３ｃ、３ｄ、上、下端面２ｅ、２ｆ、３ｅ、３ｆがそれぞれ形成されている。そして、第一戸体２は、戸尻側上端部が開口部の左側天井部Ｃに支持された枢軸４により枢支状に吊持されており、開口部の表方向における開閉揺動が自在となるように構成されている。前記枢軸４は自閉機能を備えたオートヒンジで構成されており、第一戸体２は、開口部を閉鎖する方向に付勢されている。
そして、第一戸体２の戸先側端部には、第二戸体３の戸尻側端部が上下の蝶番５、６を介して揺動自在に連結されている。前記上下の蝶番５、６は、それぞれ、表面２ａ、３ａに設けられて第一、第二戸体２、３を連結しており、これによって、第一、第二戸体２、３は、各表面２ａ、３ａ同士が左右方向に並列する伸長姿勢と、該伸長姿勢から表方向に１８０度の揺動をして表面２ａ、３ａ同士が近接対向する折畳み姿勢との間を揺動変姿するように構成されている。前記上下の蝶番５、６はそれぞれ自閉機能を備えたオートヒンジで構成されており、第二戸体３は、第一戸体２に対して閉鎖する方向（第一、第二戸体２、３を伸長姿勢にする方向）に付勢されている。
【０００９】
前記第一、第二戸体２、３は、表面２ａ、３ａ同士の間にドアキャッチャー７が設けられている。前記ドアキャッチャー７は、図５（Ａ）に示すように、第一戸体２の表面２ａ上部に内装される状態で設けられる受け具７ａと、第二戸体３の表面から表方向に突出する状態で設けられる作動プレート７ｂとにより構成されている。そして、ドアキャッチャー７は、第二戸体３が表方向（開放方向）に揺動して第一、第二戸体２、３が折畳み姿勢となって、作動プレート７ｂが受け具７ａに嵌入係止することにより、第二戸体３の閉鎖方向への付勢力に抗して第一、第二戸体２、３を折畳み姿勢に保持するように構成されている。さらに、ドアキャッチャー７の受け具７ａには、第一戸体２の裏面２ｂから裏方向に突出配設される作動ピン７ｃの基端部が連繋されており、前記作動ピン７ｃが裏面２ｂ側に退避することにより、作動プレート７ｂと受け具７ａとの係止を解除するように構成されており、該係止解除の状態では、第二戸体３が蝶番５、６の自閉機能に基づいて閉鎖方向に揺動して、第一、第二戸体２、３を伸長姿勢とするように構成されている。
【００１０】
一方、廊下の左側壁ＬＷには、第一戸体２の枢軸４配設部の表方向（開口部の表裏方向）に位置して戸袋８が凹設されている。そして、前記第一、第二戸体２、３は、ドアキャッチャー７により折畳み姿勢に保持された状態で表方向に揺動することで戸袋８内に収納されるように構成されている。このとき、第二戸体３が戸袋８の溝底部８ａに近接対向し、第一戸体２が戸袋８の開口側に位置して収納されており、第一戸体２の裏面２ｂと左側壁ＬＷとは略面一状態となるように設定されている一方、戸袋８の溝底部８ａと、該溝底部８ａに対向する第二戸体３の裏面３ｂとの間には電磁レリーズ９が設けられている。前記電磁レリーズ９は、戸袋溝底部８ａ側の操作具９ａと第二戸体３側の受け具９ｂとにより構成されており、建築物に設けられる図示しない異常検知装置（例えば煙感知器）に連動して、操作具９ａと受け具９ｂとを係脱作動させるように構成されている。
【００１１】
このように構成された折畳み式防火扉装置１は、異常検知装置による異常検知がなされていない通常の使用状態では、折畳み姿勢の第一、第二戸体２、３が戸袋８に収納されており、電磁レリーズ９は、戸袋８側の操作具９ａと第二戸体３側の受け具９ｂとを係止する作動状態となって、第一、第二戸体２、３を戸袋８に収納する状態を保持するように構成されている。
一方、異常検知装置による異常検知がなされた状態では、電磁レリーズ９は操作具９ａと受け具９ｂとの係止を解除する作動状態となり、第一戸体２の枢軸４の自閉機能に基づいて折畳み姿勢の第一、第二戸体２、３を裏方向（閉鎖方向）に向けて揺動せしめるように構成されている。この状態となると、折畳み姿勢の第一、第二戸体２、３は、第一戸体裏面２ｂの上側端縁部が天井部Ｃから下方に突出して設けられた上側戸当たり片１０に積層状に近接対向するよう略９０度の閉鎖揺動をして、開口部の戸尻側半部を閉鎖するように構成されている（図２の実線参照）。
そして、前記半開状態になることに伴い、第一戸体２の裏面から突出するドアキャッチャー７の作動ピン７ｃが上側戸当たり片１０に当接して退避し、ドアキャッチャー７の受け具７ａと作動プレート７ｂとの係止を解除するように構成されている。この状態となると、蝶番５、６の自閉機能に基づいて第二戸体３が裏方向（閉鎖方向）に向けて揺動を開始し、図３に示すように、第二戸体３が略１８０度の閉鎖揺動がなされて、裏面３ｂの上側端縁部が天井部Ｃの上側戸当たり片１０に積層状に近接対向するとともに、裏面３ｂの戸先側端縁部が右側壁ＲＷから開口側に突出して設けられた戸先側戸当たり片１１に積層状に近接対向する状態となって、第一、第二戸体２、３が開口部を塞ぐ閉鎖状態となるように構成されている。
【００１２】
このとき、戸先側に位置する第二戸体３は、戸先側端縁部に本発明の調整部材に相当する補助プレート１２が設けられていて、該補助プレート１２が第二戸体裏面３ｂの戸先側端縁部の構成部材として、戸先側戸当たり片１１に積層状に近接対向するように構成されている。前記補助プレート１２は、第二戸体３の上下方向長さと略同寸法の長尺板材で構成されており、上下方向複数箇所に位置して左右方向に長い長孔１２ａが開設されている。このように構成された補助プレート１２は、前記各長孔１２ａを介して第二戸体３の裏面３ｂの戸先側端部に螺子１２ｂを用いて固定される構成となっており、これによって、補助プレート１２は第二戸体３に対して左右方向（開口部の幅方向）位置調整自在に取付けられるように構成されている。そして、補助プレート１２は第二戸体３の裏面３ｂと面一状になり、かつ、戸先側端部が第二戸体３の戸先側端面３ｄよりも戸先側に突出する状態で第二戸体３に取付けられるが、該取付け状態において、図３に示すように、第一、第二戸体２、３が伸長姿勢となって開口部を閉鎖状態としたとき、補助プレート１２の戸先側端縁部が戸先側戸当たり片１１に積層して、開口部を塞ぐように位置調整されている。
【００１３】
このように構成される補助プレート１２は、工場から出荷される際は、予め第二戸体３に仮固定された状態となっており、設置現場で螺子１２ｂを緩め、設置条件に合わせて補助プレート１２を左右方向に変位させることで、容易に位置調整することができるように構成されている。そして、設置現場において、第二戸体３の取付け姿勢に寸法誤差ができたり、右側壁ＲＷの施工において寸法誤差が生じて、第二戸体３の戸先側端部と開口部との間に隙間が形成されたり、戸先側端部が躯体側に擦ってしまうような場合に、補助プレート１２の取付け位置を調整することにより、第二戸体３の戸先側端縁部（補助プレート１２）と戸先側戸当たり片１１との位置関係を調整することができるように構成されている。これによって、従来のように、第二戸体を第一戸体から取外して連結しなおしたり、第二戸体を交換したり、また、側壁を施工しなおすような作業をすることなく、第二戸体３の調整が容易にできるように構成されている。
さらに、このものにおいて、補助プレート１２は、第二戸体３の裏面３ｂに固定されていて、折畳み姿勢として戸袋８内に収納した状態では補助プレート１２が外部に露出することがないように構成されており、防火扉装置１の意匠が何ら損なわれることがないように配慮されている。
【００１４】
また、本実施の形態の第二戸体３は操作具３ｇが設けられており、操作具３ｇ操作に基づいて第二戸体３を開放することができるようになっており、第二戸体３が緊急避難扉として兼用されるように構成されている。
さらに、第二戸体３は戸先側端部の下方部位を切欠くことにより、放水用のホースが挿入されるホース口が形成されており、該ホース口には、第二戸体３の一部を構成するホース口扉３ｈが開閉自在に設けられている。そして、ホース口扉３ｈの戸先側端部には、前記補助プレート１２と同様に構成されるホース口用補助プレート１２ｃが設けられており、ホース口扉３ｈの戸先側端縁部と開口部（戸先側戸当たり片１１）との間の隙間も確実に塞ぐことができるように構成されている。
【００１５】
叙述の如く構成された本形態において、折畳み式の防火扉装置１は、異常検知装置の検知に伴い、まず第一、第二戸体２、３が折畳み姿勢を保持した状態で閉鎖揺動して開口部の戸尻側半部を閉鎖し、続いて、ドアキャッチャー７により第一戸体２との係止が解除された第二戸体３が１８０度閉鎖揺動して開口部全域を閉鎖状態とし、第二戸体３の戸先側端部となる補助プレート１２が右側壁ＲＷの戸先側戸当たり片１１に積層状に近接対向して開口部の戸先側が塞がれる。この場合に、補助プレート１２は、左右方向に長い長孔１２ａを介して第二戸体３に対して位置調整自在に設けられるため、防火扉装置１を取付ける段階で、第二戸体３側の取付け位置の寸法誤差、開口部側（右側壁ＲＷ）の施工による寸法誤差等があって、補助プレート１２（およびホース口用補助プレート１２ｃ）の戸先側端縁部と戸先側戸当たり片１１との間に隙間ができたり、補助プレート１２（およびホース口用補助プレート１２ｃ）の戸先側端縁部が右側壁ＲＷに擦ってしまうような場合では、第二戸体３に対する補助プレート１２（およびホース口用補助プレート１２ｃ）の取付け位置を調整することで、開口部との隙間を塞ぐ状態とすることができる。この結果、従来のもののように、第二戸体を取換えたり、側壁を施工しなおすような作業をすることなく設置現場に合わせた調整が可能となり、作業性の向上が図れて施工時間を短縮できるばかりでなく、コスト低下にも寄与できる。そのうえ、補助プレート１２は収納状態で戸袋８の溝奥側に位置しているので、防火扉装置１の意匠を何ら損なうことがないという利点もある。
【００１６】
尚、本発明は前記実施の形態に限定されないことは勿論であって、図６、７、８に示す第二の実施の形態のように構成することもできる。
前記第二の実施の形態の折畳み式防火扉装置１３は、三枚の第一、第二、第三戸体１４、１５、１６を用いて構成され、前記第一の実施の形態と同様に火災等の異常時に幅広の廊下部分を閉鎖するように構成されており、第一の実施の形態と同様の部材については同様の符号を付すことにより説明を省略する。
これら第一、第二、第三戸体１４、１５、１６は、戸尻側に位置する第一戸体１４の戸尻側上端部が天井部Ｃに枢軸１４ａを介して枢支状に吊持されており、該第一戸体１４の戸先側端部に第二戸体１５の戸尻側端部が蝶番１５ａを介して揺動自在に連結され、前記第二戸体１５の戸先側端部に第三戸体１６の戸尻側端部が蝶番１６ａを介して揺動自在に連結されている。
これら第一、第二、第三戸体１４、１５、１６は、戸先側の戸体１６、１５から順次隣接する戸体１５、１４に対して表方向（同方向）に揺動するようにして折畳まれて、第二、第三戸体１５、１６の表面１５ｂ、１６ｂが近接対向し、かつ、第一戸体１４の表面１４ｂと第三戸体１６の裏面１６ｃとが近接対向する折畳み姿勢となって、廊下の左側壁ＬＷに形成された戸袋１７に収納されるように構成されている。さらに、戸袋１７の溝底部１７ａと第二戸体１５の裏面１５ｃとの間には電磁レリーズ１８が設けられ、第一、第三戸体１４、１６との間には第一ドアキャッチャー１９が設けられ、第二、第三戸体１５、１６との間には第二ドアキャッチャー２０が設けられている。尚、電磁レリーズ１８、第一、第二ドアキャッチャー１９、２０の構成は前記第一の実施の形態のものと同様である。
【００１７】
そして、異常検知装置による異常検知に伴い電磁レリーズ１８が戸袋１７と第二戸体１５との間を係止解除すると、折畳み姿勢の状態で第一、第二、第三戸体１４、１５、１６が裏方向に閉鎖揺動して開口部の戸尻側部位を閉鎖し、該閉鎖に伴い第一、第三戸体１４、１６の間の第一ドアキャッチャー１９が係止解除状態となって、第二、第三戸体１５、１６が折畳まれた状態で１８０度の閉鎖揺動して開口部の戸尻側から中央部までを閉鎖し、該閉鎖に伴い第二、第三戸体１５、１６の間の第二ドアキャッチャー２０が係止解除状態となって、第三戸体１６が１８０度の閉鎖揺動し、これによって、開口部を閉鎖状態にするように構成されている。
尚、第三戸体１６は、下半部が上半部に対して開閉揺動自在な避難扉１６ｄに構成されており、第三戸体１６の上半部と避難扉１６ｄとは、避難扉１６ｄの操作具１６ｅに連繋して出没する図示しないロッドで連結されており、操作具１６ｅの操作がない状態では第三戸体１６と避難扉１６ｄとが一体的に揺動し、操作具１６ｅの操作がなされてロッドが没入すると、第三戸体１６に対して避難扉１６ｄを開閉揺動自在とするように構成されている。
【００１８】
このものにおいて、第三戸体１６の上側部位と避難扉１６ｄとの戸先側端縁部には、プレート状の第一調整部材２１、２１ａがそれぞれ左右方向位置調整自在に設けられているとともに、第三戸体１６の下端縁部となる避難扉１６ｄの下端縁部には、断面コ字形の第二調整部材２２が上下方向位置調整自在に設けられている。前記第一調整部材２１、２１ａは、第一の実施の形態と同様に左右方向に長い長孔を介して第三戸体１６の裏面１６ｃに螺子止め固定することで、第三戸体１６に対して左右方向の位置調整が自在な状態で取付けられ、第三戸体１６の左右方向の長さ（幅）を調整し、右側壁ＲＷの戸先側戸当たり片１１とのあいだの隙間を塞ぐように構成されている。また、第二調整部材２２は、上下方向に長い長孔２２ａを介して螺子２２ｂを用いて第三戸体１６（避難扉１６ｄ）の下端縁部に固定することで、第三戸体１６に対して上下方向の位置調整が自在な状態で取付けられて第三戸体１６の上下長さ（高さ）を調整し、床部Ｆとのあいだの隙間を塞ぐように構成されている。これによって、設置現場において第三戸体１６の取付け位置に寸法誤差が生じたり、右側壁ＲＷ側の施工に寸法誤差が生じたような場合に、第一、第二調整部材２１、２１ａ、２２を調整することで対応できて、この場合でも、折畳み式の防火扉装置１３の設置作業において作業性の向上を図ることができる。しかも、第一調整部材２１、２１ａは戸袋１７の溝奥側に位置して外部に露出することがないので、意匠性が損なわれることがない。
因みに、各戸体１４、１５、１６の左右幅寸法等の設置条件によっては、上下方向位置調整自在な第二調整部材２２を第二戸体１５に設けてもよい。
【図面の簡単な説明】
【００１９】
【図１】図１（Ａ）、（Ｂ）はそれぞれ折畳み式防火扉装置の収納状態の側面図、閉鎖状態における正面図である。
【図２】折畳み式防火扉装置の作用を説明する平面図である。
【図３】折畳み式防火扉装置の一部を切欠いた平面図である。
【図４】図４（Ａ）、（Ｂ）はそれぞれ第一戸体の収納状態における正面断面図、第二戸体の閉鎖状態における側面断面図である。
【図５】図５（Ａ）は第一、第二戸体の係止状態を説明する側面断面図、図５（Ｂ）は第二戸体の戸先側部位の斜視図である。
【図６】第二の実施の形態の折畳み式防火扉装置の正面図である。
【図７】図７（Ａ）は第二の実施の形態の折畳み式防火扉装置の作用を説明する平面図、図７（Ｂ）は第二の実施の形態の第三戸体の戸先側部位の平面図である。
【図８】図８（Ａ）は第二の実施の形態の第三戸体の側面断面図、図８（Ｂ）は第三戸体の下端部における戸先側部位の正面図である。
【符号の説明】
【００２０】
１    防火扉装置
２    第一戸体
３    第二戸体
４    枢軸
５    蝶番
７    ドアキャッチャー
８    戸袋
９    電磁レリーズ
１０    上側戸当たり片
１１    戸先側戸当たり片
１２    補助プレート
１２ａ    長孔
１２ｂ    螺子
【図１】
2010126890.tif 000003
【図２】
2010126890.tif 000004
【図３】
2010126890.tif 000005
【図４】
2010126890.tif 000006
【図５】
2010126890.tif 000007
【図６】
2010126890.tif 000008
【図７】
2010126890.tif 000009
【図８】
2010126890.tif 000010